(57)【要約】【課題】  キャップ付きのボトルタイプのような容器ではなく、内部に収納した品物の視認に際して遊び感覚を付与することができ、しかも部材が少なくて製作が容易で、費用も安価に抑えることができるコップを提供すること。【解決手段】  上端開口の外側壁部５と、該壁部の下端近くから上向きに外側壁部と環状の間隙６をおいて所定高さまで一体に延出して形成された内側壁部７と、該壁部の上端開口を閉鎖して一体に形成された底壁部８とを有し、外側壁部と内側壁部と底壁部とで区画される空間を飲料収容部１０に形成した透明材料からなるコップ本体２と、該コップ本体の下端開口を閉鎖して着脱可能に装着された底キャップ３とを具え、この底キャップとコップ本体の内側壁部及び底壁部の間にフィギアなどの品物を収納可能な中空収納部２０が形成されている。【選択図】      図１
0003117755.tif 000002
【実用新案登録請求の範囲】
【請求項１】
上端開口の外側壁部と、該壁部の下端近くから上向きに外側壁部と環状の間隙をおいて所定高さまで一体に延出して形成された内側壁部と、該壁部の上端開口を閉鎖して一体に形成された底壁部とを有し、前記外側壁部と内側壁部と底壁部とで区画される空間を飲料収容部に形成した透明材料からなるコップ本体と、該コップ本体の下端開口を閉鎖して着脱可能に装着された底キャップとを具え、この底キャップと前記コップ本体の内側壁部及び底壁部の間にフィギアなどの品物を収納可能な中空収納部が形成されていることを特徴とするコップ。
【請求項２】
コップ本体は、底壁部の高さが外側壁部の高さの１／２ないし２／３程度となっている請求項１記載のコップ。
【請求項３】
コップ本体は、外側壁部の上端開口部の内径が同下端部の外径より大きくなっている請求項１又は２記載のコップ。
【請求項４】
底キャップは、コップ本体の外側壁部とほぼ同径に形成された底壁部と、該底壁部の上面に一体に形成された周壁部とを有し、該周壁部の外面に環状突部が形成され、かつ該突部と着脱可能に係合する環状凹部がコップ本体の内側壁部の内面に形成されている請求項１ないし３のいずれかに記載のコップ。
【考案の詳細な説明】
【技術分野】
【０００１】
この考案は、主にジュースなどの液体飲料用のコップ、さらに詳しくはコップが飲料を収納する部分とフィギア、おもちゃ、アクセサリー等の品物（雑貨）を収納する部分からなる二重構造になっていて、該品物が使用者の好みにより任意のものに出し入れ可能になっているとともに、ディスプレイ用としても利用できるコップに関するものである。
【背景技術】
【０００２】
自宅あるいは各種パーティでのコップを使用しての飲食に際し、従来のこの種のコップは専ら飲料そのものを収容し、かつ供するものでしかなく、遊びの感覚の用具等としては利用することができなかった。
【０００３】
コップと同じ飲料を収容するものであるが、キャップ付きのボトルタイプの容器としては、飲料とフィギアなどの品物をそれぞれ別々に隔離した状態で１つの容器内に収納するようにしたものが提案されている（例えば、特許文献１，２参照）。
【０００４】
しかし、この特許文献１，２に開示の容器はあくまでも容器本体の口部にキャップが装着されるボトルであり、そこに収容された品物を視認するには、特許文献１の場合、容器の購入者が品物を覆っているラベルを剥がすか、キャップを取り外すかしないとできない。また、特許文献２の場合、常時、品物を視認可能な状態に置くものであるため、視認不可能な状態に置くには別途、ラベル等で品物を覆うようにする必要があるという問題がある。そのため、特許文献１，２のいずれも飲食のほかに品物を利用した遊び感覚の用具等としての価値において、必ずしも満足できるものではなかった。
【０００５】
【特許文献１】実用新案登録第３１０５８８９号公報
【特許文献２】特開平８−４８３３８号公報
【考案の開示】
【考案が解決しようとする課題】
【０００６】
そこでこの考案は、前記従来のものに鑑み、キャップ付きのボトルタイプのような容器ではなく、内部に収納した品物の視認に際して遊び感覚を付与することができ、利用価値の高いコップを提供することを目的とする。
【課題を解決するための手段】
【０００７】
前記課題を解決するために、請求項１に記載の考案は、上端開口の外側壁部と、該壁部の下端近くから上向きに外側壁部と環状の間隙をおいて所定高さまで一体に延出して形成された内側壁部と、該壁部の上端開口を閉鎖して一体に形成された底壁部とを有し、前記外側壁部と内側壁部と底壁部とで区画される空間を飲料収容部に形成した透明材料からなるコップ本体と、該コップ本体の下端開口を閉鎖して着脱可能に装着された底キャップとを具え、この底キャップと前記コップ本体の内側壁部及び底壁部の間にフィギアなどの品物を収納可能な中空収納部が形成されていることを特徴とする。
【０００８】
請求項２に記載の考案は、請求項１において、コップ本体は、底壁部の高さが外側壁部の高さの１／２ないし２／３程度となっていることを特徴とする。請求項３に記載の考案は、請求項１又は２において、コップ本体は、外側壁部の上端開口部の内径が同下端部の外径より大きくなっていることを特徴とする。
【０００９】
請求項４に記載の考案は、請求項１ないし３のいずれかにおいて、底キャップは、コップ本体の外側壁部とほぼ同径に形成された底壁部と、該底壁部の上面に一体に形成された周壁部とを有し、該周壁部の外面に環状突部が形成され、かつ該突部と着脱可能に係合する環状凹部がコップ本体の内側壁部の内面に形成されていることを特徴とする。
【考案の効果】
【００１０】
この考案は、前記のようであって、上端開口の外側壁部と、該壁部の下端近くから上向きに外側壁部と環状の間隙をおいて所定高さまで一体に延出して形成された内側壁部と、該壁部の上端開口を閉鎖して一体に形成された底壁部とを有し、前記外側壁部と内側壁部と底壁部とで区画される空間を飲料収容部に形成した透明材料からなるコップ本体と、該コップ本体の下端開口を閉鎖して着脱可能に装着された底キャップとを具え、この底キャップと前記コップ本体の内側壁部及び底壁部の間にフィギアなどの品物を収納可能な中空収納部が形成されているので、例えば普段は、自分の好きな飲み物を入れて自分だけのマイカップとして使い、友達が来たときなどには、色の濃いジュースのような飲料をその液面がコップ本体の底壁部を超える位置まで飲料収容部に入れることにより中空収納部に収納した品物を覆って隠し、この隠した品物が飲料を飲んでいくうちにだんだん現れ、友達（使用者）を驚かさせるという遊び感覚で楽しみ方ができる。その際に、従来の容器のようにラベルを剥がすというようなことが一切必要がなく、飲料を入れるだけでよいという優れた効果が期待できる。
【考案を実施するための最良の形態】
【００１１】
この考案の一実施の形態を、添付した図面を参照しながら詳細に説明する。
【００１２】
図１は左半部を破断した正面図、図２は平面図である。両図において、１は全体がプラスチック材料からなる透明なコップで、該コップはコップ本体２と底キャップ３からなっている。コップ本体２は上端開口の外側壁部５と、該壁部の下端から上向きに外側壁部と環状の間隙６をおいて所定高さまで一体に延出して形成された内側壁部７と、該壁部の上端開口を閉鎖して一体に形成された底壁部８とからなっている。外側壁部５に対する底壁部８の高さは２／３程度となっている。ただこれは一例であって１／２程度としてもよい。また、コップ本体２の外側壁部５の上端の外径Ｄは同下端の外径ｄよりやや大きくなっている。例えば具体的な数値で示すと、外側壁部５の上端の外径Ｄが６５mmに対して、下端の外径ｄが６０mmとしていて、若干ではあるが上向きに拡開した円筒形状となっている。外側壁部５は同じ肉厚に形成されているので、外側壁部５の上端開口部の内径は同下端部の外径より大きくなっている。
【００１３】
外側壁部５と内側壁部７と底壁部８とで区画される空間は飲料収容部１０に形成されている。飲料収容部１０には上端開口から飲料が注がれるようになっている。注がれた飲料は飲料収容部１０がほぼ全高にわたっているため、飲料収容部１０に入れる飲料が濃色の場合などでは、該飲料を入れると見た目では普通のコップと何ら変わるところがない。
【００１４】
底キャップ３はコップ本体２の下端開口を閉鎖して着脱可能に装着されている。底キャップ３はコップ本体２の外側壁部５と同径に形成された脚付き底壁部１３と、該底壁部の上面に一体に形成された周壁部１４とからなっている。周壁部１４の外面には環状突部１６が形成され、該突部と着脱可能に係合する環状凹部１７がコップ本体２の内側壁部７の内面に形成されている。底キャップ３と、コップ本体２の内側壁部７及び底壁部８との間にはフィギアやおもちゃなどの品物を収納可能な中空収納部２０が形成されている。図３には品物の一例としてフィギア２１を収納した例を示す。
【００１５】
前記においてフィギア２１を中空収納部２０に収納するには、図４（Ａ）に示すように底キャップ３を一旦、コップ本体２から取り外す。取り外しに際しては、底キャップ３の底壁部１３を手で持ってコップ本体２から引き抜くようにすると、底キャップ３の周壁部１４の環状突部１６がコップ本体２の内側壁部の環状凹部１７から外れ、係合が解かれる。これにより下端側が開口した収納部２０に、図４（Ｂ）に示すようにフィギア２１を入れ、前記とは逆の手順により底キャップ３をコップ本体２に装着する。これで底キャップ３の周壁部１４の環状突部１６がコップ本体２の内側壁部の環状凹部１７に再び係合し、フィギア２１が中空収納部２０に収納された状態となる。
【００１６】
使用に際しては、中空収納部２０にフィギア２１を収納したコップ本体２の飲料収容部１０に自分の好きな飲料を入れて自分だけのマイキャップとして使うことができる。そして、例えば自宅に友人が来たときには、図４（Ｃ）に示すようにコップ本体２の飲料収容部１０に上端開口から例えば色の濃いジュースのような飲料を注いでその液面が底壁部８を超える位置とすると、中空収納部２０がそこに収納されたフィギア２１とともにジュースにより隠された状態になる。そして、このようにして提供されたジュースを友人が飲んでいくと、図４（Ｄ）に示すように徐々に中空収納部２０に収納されたフィギア２１が現れ、友人を驚かさせることになる。パーティなど大勢の人達がいるときにそれぞれのコップに違うフィギア２１、あるいは違う品物を入れておくと、どのコップを持つかによりそれぞれ違う品物と対面することにもなり、飲食を遊び感覚で楽しめる。
【００１７】
また、専ら子供用として家庭での使用も可能で、この場合には必要により品物の入れ替えをすることができる。このときは底キャップ３をコップ本体２から環状突部１６と環状凹部１７の係合を解いて取り外し、前の品物と新しい品物との入れ替えを行なう。
【００１８】
また、使い方としては前記のほかに図５に示すように飲料を入れない状態で、上方にあるコップ１の底キャップ３を含む下端部を下方にあるコップ１の上端開口に嵌合して、コップ１を二段以上にスタックすることができる。これにより中空収納部２０に収納したフィギア２１だけが視認できて、ディスプレイとしての効果も期待することが可能となる。
【００１９】
尚、実施の形態で示したものはあくまでも好ましい一例であり、コップ１の材質は必ずしもプラスチックでなくともよいし、透明部分も必ずしもコップ１全体である必要がなく、底キャップ３は着色したりして不透明としてもよい。また、一体構成としたコップ本体２の外側壁部５と内側壁部７を、外側壁部５の下端から内側壁部７が上向きに延出するようにしているが、内側壁部７が延出する部分は外側壁部５の下端ではなく、下端近くの、下端より多少上方の部分からとしてもよい。また、コップ１は図示したような円筒形状でなく、多角形状としてもよい等、細部の設計は実施に際して任意に変更、修正することが可能である。
【図面の簡単な説明】
【００２０】
【図１】この考案の一実施の形態に係るコップの左半部を破断した正面図である。
【図２】同上の平面図である。
【図３】中空収納部に品物を収納した状態を示す正面図である。
【図４】（Ａ）ないし（Ｄ）は組付けから使用の一例までを示す作用説明図である。
【図５】別の使用例を示す説明図である。
【符号の説明】
【００２１】
１  コップ
２  コップ本体
３  底キャップ
５  外側壁部
６  環状の間隙
７  内側壁部
８  底壁部
１０  飲料収容部
１３  底壁部
１４  周壁部
１６  環状突部
１７  環状凹部
２０  中空収納部
２１  フィギア（品物）
【図１】
0003117755.tif 000003
【図２】
0003117755.tif 000004
【図３】
0003117755.tif 000005
【図４】
0003117755.tif 000006
【図５】
0003117755.tif 000007